(57)【特許請求の範囲】
【請求項１】
汚れが付着する部位であるリムの表面、便座の裏面または蓋の表面を、透光性を有する厚み１ｍｍ〜２ｍｍのシート状部材で被覆した便器であって、前記透光性を有するシート状部材の表面に付着した汚れの影が、前記リムの表面、便座の裏面または蓋の表面に映り、付着した汚れを視認できることを特徴とする便器。
【請求項２】
前記シート状部材は、着脱可能であることを特徴とする請求項１に記載の便器。
【発明の詳細な説明】
【技術分野】
【０００１】
本発明は、清潔に保つように工夫した便器に関するものである。
【背景技術】
【０００２】
従来からトイレは、清潔に保つための様々な工夫が施されてきた。特に便器を清潔にすることによって、トイレの見栄えが良くなるばかりでなく、悪臭を抑制することもできる。その結果、人はトイレを快適に使用することができるようになる。このようなトイレ（便器）を清潔に保つための発明が、例えば特許文献１に開示されている。
【特許文献１】特開２００５−１０５５４６号公報
【発明の開示】
【発明が解決しようとする課題】
【０００３】
特許文献１に開示されている便器装置では、特に排便・小便の跳ね返りや飛び散り等によって汚れやすいと想定されるケーシング（便座の裏側）に向けて吐水する吐水手段が設けられている。特許文献１には、吐水手段によって便座の裏側に付着した便を洗い落とす構成が開示されているが、便が付着するのは便座のみではなく、便座が着床する便器（リム）の縁部分にも飛び散った便が付着し易い。
【０００４】
特許文献１の便器装置に限らず、従来から拭き取り清掃によって便器（便座を含む）は清潔に保たれてきた。ところで、付着した小便（尿）が乾燥すると透明になって視覚的に確認することが困難になる。また、尿は、少々拭いた程度では完全には除去することができない。清掃作業者は、視覚的に汚れが確認できれば、その部位を重点的に清掃して尿等の汚れを除去することができるが、見えにくい汚れは放置されることもあり、これが悪臭を放つ要因となっている。
【０００５】
そこで本発明は、見えにくい汚れを見え易くすることができ、清掃し易くする便器を提供することを課題としている。
【課題を解決するための手段】
【０００６】
上記課題を解決するための請求項１の発明は、汚れが付着する部位あるリムの表面、便座の裏面または蓋の表面を、透光性を有する厚み１ｍｍ〜２ｍｍのシート状部材で被覆した便器であって、前記透光性を有するシート状部材の表面に付着した汚れの影が、前記リムの表面、便座の裏面または蓋の表面に映り、付着した汚れを視認できることを特徴とする便器である。汚れの代表的なものは、小便（尿）が飛び散って付着したものである。
【０００７】
請求項１の発明では、汚れが付着する部位を、透光性を有するシート状部材で被覆したことによって、汚れはシート状部材に付着する。その結果、便器表面に汚れの影が映るため、トイレ使用者又は清掃者は汚れを確認し易くなり、早期に汚れた部位を重点的に清掃することができるようになる。これにより、付着した汚れに雑菌が作用して悪臭を放つことを回避でき、人は快適にトイレを使用することができるようになる。また、シート状部材の厚みを１ｍｍ〜２ｍｍとしたので、付着した汚れの影が便器表面に映り易くなり、視認性を向上させることができ、清掃を促すことができる。
【０００８】
請求項２の発明は、請求項１の発明の便器において、シート状部材を着脱可能に構成した。請求項２の発明では、透光性を有するシート状部材を着脱可能にしたので、既設のトイレにもシート状部材を装着することができる。また、シート状部材が摩耗等によって破損しても、取り替えることができる。
【発明の効果】
【００１１】
本発明では、汚れが付着する部位を透光性を有するシート状部材で被覆することにより、汚れはシート状部材に付着し、便器には汚れの影が映るので、トイレ使用者又は清掃者は、汚れに気付き易くなり、早期に汚れた部位を清掃することができるようになる。これにより、付着した汚れに雑菌が作用して悪臭を放つことを回避でき、人は快適にトイレを使用することができるようになる。
【発明を実施するための最良の形態】
【００１２】
図１は、本発明を実施した洋風の便器１の斜視図である。図１に示すように便器１は、本体を構成するリム２と、便座３、及び蓋４とを備えている。便座３は軸部５を中心に回動可能にリム２に固定されており、また、蓋４は軸部６を中心に回動可能にリム２に固定されている。図１は、蓋４及び便座３が開いた状態を示している。図１に示すように便座３の裏面３ａには、四箇所に支承部７が設けてある。支承部７は、便座３を閉じた際にリム２の縁２ａに当接して、人が便座３に座った際に掛かる荷重をリム２側に伝達する。
【００１３】
蓋４を閉じると、臭いが立つのを防止することができる。便座３は、必要に応じて開状態（図１に示す状態）あるいは閉状態（裏面３ａの支承部７がリム２の縁２ａに当接した状態）で使用することができる。
【００１４】
このような普通の便器１に、本発明の主要な構成である透明保護シート８（透明なシート状部材）が装着（被覆）されている。透明保護シート８は、リム２の縁２ａを被覆するように装着されている。以下では、図２と図３とを参照しながら透明保護シート８の特徴を説明する。図２（ａ）は、図１のＡ部の拡大断面図であり、図２（ｂ）は、図２（ａ）の変形例を示す拡大断面図である。また、図３は、図１のＡ部を破断させて描写した斜視図である。図２（ａ）に示すようにリム２の縁２ａには、透明保護シート８が装着されている。
【００１５】
図２（ａ）に示すように透明保護シート８はリム２の縁２ａに密着しており、縁２ａの表面形状に沿っている。このように縁２ａに装着するために、透明保護シート８は、ある程度の弾性を有していることが好ましく、例えば、アクリル樹脂等を素材として採用することができる。また、厚みは０．５ｍｍ〜３ｍｍの範囲とすることができるが、より好ましいのは１ｍｍ〜２ｍｍである。この厚みは、汚れの視認性を向上させるのに適した寸法であり、あまり小さいと縁２ａに汚れの影が映りにくくなり、また、大き過ぎると縁２ａに汚れの影が映らない。よって、透明保護シート８の厚みは、上述の範囲に設定するのが好ましい。また、透明保護シート８は、必ずしも無色透明である必要はなく、汚れの視認性を向上させるのに支障がなければ有色透明であってもよい。
【００１６】
リム２の縁２ａに装着された透明保護シート８上に、例えば小便（尿）等が飛び散って異物１０として付着した際、異物１０は透明保護シート８の厚みの分だけリム２から離れている。
【００１７】
透明保護シート８は光１１を通すので、図３に示すように異物１０の影１０ａがリム２の表面に映る。小便は乾燥すると視認しにくくなるが、異物１０がたとえ小便が乾燥したものであったとしても、その影１０ａがリム２の表面に映るので、トイレの使用者又は清掃者は、その汚れ（異物１０）を容易に視認することができる。
【００１８】
よって、透明保護シート８の厚みは、異物１０をリム２から離間させて異物１０の影１０ａをリム２に投影させることができる程度に大きさを設定することが必要である。また、便座３を閉じた際には、支承部７が透明保護シート８に当接し、さらに人が便座３に座ると、その荷重が支承部７を介して透明保護シート８に掛かるので、透明保護シート８は、耐久性を考慮して素材や厚みを設定するのが好ましい。
【００１９】
図２（ｂ）は、図２（ａ）の変形例を示す。図２（ｂ）に示す例では、異物１０の影１０ａをリム２の表面に投影する代わりに、反射膜９（反射部材）によって異物１０自体を反射させて視認性を向上させている。すなわち、リム２の縁２ａと透明保護シート８の間に反射膜９を配置する。このように反射膜９を設けることにより、影１０ａよりも視認性が良好な異物１０自体の反射像を視認することができるようになる。
【００２０】
以上では、透明保護シート８及び反射膜９は、便器１のリム２に設ける例を示したが、異物１０が付着し易い箇所として、例えば便座３の裏面３ａがある。透明保護シート８及び反射膜９は、リム２に限らず便座３（特に裏面３ａ側には便が付着し易く、図示しない表面側には汗が付着し易い）や蓋４に設けることもできる。また、透明保護シート８は、耐久性のある素材を選定して便器１と一体成形してもよいが、摩耗するような弾性素材で形成して、取り替えが可能になるようにしてもよい。また、洋風の便器１に限らず、和風の便器の汚れ易い箇所に透明保護シート８や反射膜９を装着してもよい。
【００２１】
このように透明保護シート８が設けられた部位に異物１０が付着すると、人目に付き易くなり、清掃しなければならない箇所を容易に認識することができるようになる。よって、透明保護シート８を装着すると、異物１０が付着してそのまま放置される可能性が低くなり、早期に清掃（拭き取り）することができるので、長時間放置して異物１０に雑菌等が作用して悪臭を放つことを防止することができるようになる。
【図面の簡単な説明】
【００２２】
【図１】本発明を実施した洋風便器の斜視図である。
【図２】（ａ）は、図１のＡ部の拡大断面図である。（ｂ）は、（ａ）の変形例を示す拡大断面図である。
【図３】図１のＡ部を破断させて描写した斜視図である。
【符号の説明】
【００２３】
１      便器
２      リム
２ａ    リムの縁
３      便座
３ａ    便座の裏面
８      透明保護シート（シート状部材）
９      反射膜（反射部材）
１０    異物（汚れ）
１０ａ  異物の影
１１    光
【図１】
0005286647.tif 000002
【図２】
0005286647.tif 000003
【図３】
0005286647.tif 000004